(57)【特許請求の範囲】
【請求項１】
タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、前記タービン制御装置等を監視するタービン監視装置とを備えるタービン監視制御装置において、
前記マスタコントローラと前記システムコントローラと前記タービン監視装置とを同一ネットワーク上に接続して構成し、前記マスタコントローラのタービン１次制御機能と前記タービン監視装置のタービン１次制御機能と直接情報のやりとりを可能とすることを特徴とするタービン監視制御装置。
【請求項２】
タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、前記タービン制御装置等を監視するタービン監視装置とを備えるタービン監視制御装置において、
前記マスタコントローラと複数の前記システムコントローラと前記タービン監視装置とをネットワークで接続して構成し、前記各システムコントローラは、本来のシステムコントローラの演算機能を実行するシステムコントローラ演算機能と、マスタコントローラの演算を実行するマスタコントローラ演算代替機能と、マスタコントローラ故障信号の入力によって前記システムコントローラ演算機能の実行から前記マスタコントローラ演算代替機能の実行へ切替える演算機能切替機能とを備えることを特徴とするタービン監視制御装置。
【請求項３】
タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、前記タービン制御装置等を監視するタービン監視装置とを備えるタービン監視制御装置において、
前記マスタコントローラと前記システムコントローラと複数の前記タービン監視装置とをネットワーク上で接続して構成し、前記各タービン監視装置は、タービン監視をするために必要な全監視機能を各タービン監視装置に割り当てた分担機能を実行する通常時監視機能と、代替起動指令によって他のタービン監視装置による分担機能を代替して実行する一方、代替停止命令によって前記実行を停止する他監視装置代替機能と、他のタービン監視装置の状態を表す他監視装置状態信号を取込み運転状態を判断して前記代替起動指令または前記代替停止指令を出力する他監視装置運転状態判断機能とを備えることを特徴とするタービン監視制御装置。
【請求項４】
タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、前記タービン制御装置等を監視するタービン監視装置とを備えるタービン監視制御装置において、
前記タービン監視装置と前記タービン制御装置とをネットワークで接続し、
前記タービン制御装置は、前記タービン監視装置の運転状態を監視して前記タービン監視装置の故障を判断したとき代替計算開始指令を出力する一方、復旧の判断をしたとき代替計算停止指令を出力する監視装置運転状態判断機能と、タービンの寿命の指標とするためのタービン寿命消費量計算に必要なデータを前記ネットワークを介して入力する寿命消費量計算信号入力機能と、前記代替計算開始指令によって、前記寿命消費量計算信号入力機能から必要なデータを入力して前記タービン監視装置と同等なタービン寿命消費量計算を行う一方、前記代替計算停止指令によってタービン寿命消費量計算を停止する寿命消費量計算代替機能と、前記寿命消費量計算代替機能により得られるタービン監視装置故障中のタービン寿命消費量を前記タービン監視装置へ送信する寿命消費量送信機能とを設ける一方、
前記タービン監視装置は、前記タービン制御装置の前記寿命消費量送信機能からネットワークを介して送信された故障中タービン寿命消費量を受信する寿命消費量補正機能と、通常時にタービン寿命消費量を計算し、故障時に故障時点タービン寿命消費量を記憶保持し、前記寿命消費量補正機能によって受信した前記故障中タービン寿命消費量に前記故障時点タービン寿命消費量を加算して復旧時点のタービン寿命消費量を計算する寿命消費量計算機能とを設けることを特徴とするタービン監視制御装置。
【請求項５】
タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、前記タービン制御装置等を監視するタービン監視装置とを備えるタービン監視制御装置において、
前記タービン監視装置と前記タービン制御装置とをネットワークで接続し、前記タービン制御装置は、前記タービン監視装置の運転状態を監視して前記タービン監視装置の故障を判断したときデータ記録開始指令を出力する一方、復旧の判断をしたときデータ記録停止指令を出力する監視装置運転状態判断機能と、タービンの寿命の指標とするためのタービン寿命消費量計算に必要なデータを前記ネットワークを介して入力する寿命消費量計算信号入力機能と、前記データ記録開始指令によって、前記寿命消費量計算信号入力機能から必要なデータを入力してデータ記録する一方、前記データ記録停止指令によってデータ記録を停止するデータ記録機能と、前記データ記録機能により得られるタービン監視装置故障中の寿命消費量計算用信号データをタービン監視装置へ送信する寿命消費量計算データ送信機能とを設ける一方、
前記タービン監視装置は、通常時にタービン寿命消費量を計算し、故障時に故障時点タービン寿命量を記憶保持する一方、復旧時に故障期間中のタービン寿命消費量を加えてタービン寿命消費量とする寿命消費量計算機能と、前記タービン制御装置の前記寿命消費量計算データ送信機能から前記ネットワークを介して送信されたタービン監視装置故障中の故障中タービン寿命消費量計算用データを受信して前記故障中のタービン寿命消費量を計算して前記寿命消費量計算機能へ送る故障期間寿命消費量計算機能とを備えることを特徴とするタービン監視制御装置。
【請求項６】
タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、前記タービン制御装置等を監視するタービン監視装置とを備えるタービン監視制御装置において、
複数のタービン監視装置とタービン制御装置とをネットワーク上で接続して構成し、前記各タービン監視装置は、前記ネットワークを介してロータ温度信号を取込み熱応力計算値を演算して得られた各熱応力計算値を前記タービン制御装置へ前記ネットワークを介して送信する熱応力演算機能と、前記タービン制御装置からネットワークを介して送信された熱応力選択値に基づいて寿命消費量を計算する寿命消費量計算機能とを設ける一方、
前記タービン制御装置は、前記各熱応力計算値を入力して所定の条件でいずれか一つの値を前記熱応力選択値として選択して前記ネットワークを介して前記各タービン監視装置へ送信する熱応力選択機能を設けることを特徴とするタービン監視制御装置。
【請求項７】
タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、前記タービン制御装置等を監視するタービン監視装置とを備えるタービン監視制御装置において、
前記タービン監視装置は、画面表示部品や機能単位に定義されたウィンドウモジュールデータを保持するモジュールデータベース機能と、前記ウィンドウモジュール表示画面及び画面上の表示位置データを保持する表示位置データベース機能と、前記モジュールデータベース機能のウィンドウモジュールデータと前記表示位置データベース機能の表示する画面表示機能と、入力装置から表示画面の選択と画面上のモジュール表示位置を変更することにより表示位置データを変更する表示位置変更機能と、前記モジュールデータベース機能にウィンドウモジュールデータを追加するモジュール追加機能とを設けることを特徴とするタービン監視制御装置。
【請求項８】
タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、前記タービン制御装置等を監視するタービン監視装置とを備えるタービン監視制御装置において、
前記タービン制御装置は、前記タービン監視装置の監視ソフトウェアを保持する監視装置ソフトウェア保持機能を設ける一方、
前記タービン監視装置は、ソフトウェアダウンロード指令をネットワークを介して前記タービン制御装置へ送信し、前記タービン制御装置から前記監視ソフトウェアを入力し、データ送信完了信号によって、監視ソフトウェアを起動する起動機能を設けることを特徴とするタービン監視制御装置。
【発明の詳細な説明】
【０００１】
【発明の属する技術分野】
本発明は、タービンの監視および制御を行うタービン監視制御装置に関する。
【０００２】
【従来の技術】
従来のタービン監視制御装置は、図１３に示すように、タービン監視装置４とタービン制御装置３のシステムコントローラ２が制御ＬＡＮ５で接続され、タービン制御装置３のマスタコントローラ１ａ，１ｂの情報は、システムコントローラ２を経由してタービン監視装置４に送信される構成となっていた。そして、マスタコントローラ１ａ，１ｂは、速度制御、バルブ位置制御、負荷制御等のタービン１次制御を実施するため２重化構成となっており、システムコントローラ２は、シーケンス制御、外部インターフェース処理等の２次制御を実施している。
【０００３】
上記タービン監視制御装置では、タービン監視装置４が正常な動作をしていても、システムコントローラ２が故障した場合に、その全機能が喪失されるという問題点があった。この問題を解決する手段として、システムコントローラを２重化した図１４に示す構成がある。この構成によりシステムコントローラ２ａ，２ｂの片系故障に対しては、タービン監視装置機能の喪失は防ぐことができる。
【０００４】
【発明が解決しようとする課題】
上記図１４に示す従来のタービン監視制御装置では、システムコントローラ２ａ，２ｂの両系の故障時にタービン制御装置３の全機能が喪失するという問題があった。
【０００５】
また、従来のタービン監視制御装置におけるタービン寿命消費計算はタービン監視装置のみで行われており、タービン監視装置故障時に寿命消費計算が実施出来ず不正確なタービン寿命消費量が計算されているという問題点があった。
【０００６】
また、従来のタービン監視装置のＣＲＴ画面は、予め１つの画面に配置する操作部及び表示部を決定し、それに合わせて画面のソフトを作成していたために、各画面の操作・表示機能は固定的なものであり、機能追加、客先のコメントにより画面の変更が生じた場合は画面ソフトの再製作が必要となるという問題点があった。
【０００７】
また、従来のタービン監視制御装置において複数のタービン監視装置が存在した場合、各監視装置毎にソフトウェアを持つ形態となっており、機能追加等で画面の設計を変更すると、全ての監視装置のソフトの変更が必要となるという問題点があった。
【０００８】
また、従来のタービン監視装置においては、一般にタービン制御装置の方が寿命が長く信頼性が高いため、タービン監視装置の交換を定期的に実施する必要があり、タービン監視装置が固有のソフトを保持しているため、旧装置の監視ソフトウェアを交換する監視装置に組み込むためのソフトウェア移植作業に過大の時間とコストが掛かるという問題点があった。
【０００９】
そこで、本発明は、上記課題を解決するためなされたもので、タービン監視制御装置の部分的な故障の場合に機能の喪失を最小限に抑えて信頼性の向上を図るタービン監視制御装置を提供することを目的とする。
【００１０】
【課題を解決するための手段】
請求項１の発明は、タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、タービン制御装置等を監視するタービン監視装置とを備えるタービン監視制御装置において、マスタコントローラとシステムコントローラとタービン監視装置とを同一ネットワーク上に接続して構成し、マスタコントローラのタービン１次制御機能とタービン監視装置のタービン１次制御機能と直接情報のやりとりを可能とするものである。この手段によれば、タービン１次制御機能を有するマスタコントローラとタービン監視装置とがネットワーク上で直接情報のやりとりができるので、仮にシステムコントローラが故障してもマスタコントローラの機能が喪失することなくマスタコントローラのタービン１次制御機能とタービン監視装置との情報をやりとりして監視操作ができ、信頼性を向上させることができる。
【００１１】
請求項２の発明は、タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、タービン制御装置等を監視するタービン監視装置とを備えるタービン監視制御装置において、マスタコントローラと複数のシステムコントローラとタービン監視装置とをネットワークで接続して構成し、各システムコントローラは、本来のシステムコントローラの演算機能を実行するシステムコントローラ演算機能と、マスタコントローラの演算を実行するマスタコントローラ演算代替機能と、マスタコントローラ故障信号の入力によってシステムコントローラ演算機能の実行からマスタコントローラ演算代替機能の実行へ切替える演算機能切替機能とを設けるようにしたものである。この手段によれば、複数台の内で１台のシステムコントローラが故障しても残りの健全なシステムコントローラでシステムコントローラの機能喪失を防止できる。さらに、マスタコントローラが故障してもマスタコントローラ故障信号によって、タービン１次制御機能を有するマスタコントローラの演算代替機能が動作しタービン１次制御機構の喪失が防止でき、信頼性の向上を図ることができる。
【００１２】
請求項３の発明は、タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、タービン制御装置等を監視するタービン監視装置とを備えるタービン監視制御装置において、マスタコントローラとシステムコントローラと複数のタービン監視装置とをネットワーク上で接続して構成し、各タービン監視装置は、タービン監視をするために必要な全監視機能を各タービン監視装置に割り当てた分担機能を実行する通常時監視機能と、代替起動指令によって他のタービン監視装置による分担機能を代替して実行する一方、代替停止命令によって実行を停止する他監視装置代替機能と、他のタービン監視装置の状態を表す他監視装置状態信号を取込み運転状態を判断して代替起動指令または代替停止指令を出力する他監視装置運転状態判断機能とを設けるようにしたものである。この手段によれば、通常時には、全タービン監視機能を各タービン監視装置に割当てて機能分担し、全体の監視負荷の軽減が図られる構成で、あるタービン監視装置が故障したとき他の健全なタービン監視装置の他監視装置代替機能へ分担された機能を代替することができる。従って、タービン監視機能の喪失を防止できる。
【００１３】
請求項４の発明は、タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、タービン制御装置等を監視するタービン監視装置とを備えるタービン監視制御装置において、タービン監視装置とタービン制御装置とをネットワークで接続し、タービン制御装置は、タービン監視装置の運転状態を監視してタービン監視装置の故障を判断したとき代替計算開始指令を出力する一方、復旧の判断をしたとき代替計算停止指令を出力する監視装置運転状態判断機能と、タービンの寿命の指標とするためのタービン寿命消費量計算に必要なデータをネットワークを介して入力する寿命消費量計算信号入力機能と、代替計算開始指令によって、寿命消費量計算信号入力機能から必要なデータを入力してタービン監視装置と同等なタービン寿命消費量計算を行う一方、代替計算停止指令によってタービン寿命消費量計算を停止する寿命消費量計算代替機能と、寿命消費量計算代替機能により得られるタービン監視装置故障中のタービン寿命消費量をタービン監視装置へ送信する寿命消費量送信機能とを設ける一方、タービン監視装置は、タービン制御装置の寿命消費量送信機能からネットワークを介して送信された故障中タービン寿命消費量を受信する寿命消費量補正機能と、通常時にタービン寿命消費量を計算し、故障時に故障時点タービン寿命消費量を記憶保持し、寿命消費量補正機能によって受信した故障中タービン寿命消費量に事故時点タービン寿命消費量を加算して復旧時点のタービン寿命消費量を計算する寿命消費量計算機能とを設けるようにしたものである。この手段によれば、タービン監視装置が故障したと判断されると、代替計算開始指令によって、ネットワークを介して入力されるデータによってタービン寿命消費量が計算され、タービン監視装置が復旧したと判断されると、代替計算停止指令によって寿命消費量の計算が停止されて、故障中の寿命消費量がタービン監視装置へ送信される。そして、故障前の寿命消費量に故障中の寿命消費量が加えられる。これによって、タービン監視装置の故障中の寿命消費量も加味され、精度の高いタービン寿命消費量が得られる。
【００１４】
請求項５の発明は、タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、タービン制御装置等を監視するタービン監視装置とを備えるタービン監視制御装置において、タービン監視装置とタービン制御装置とをネットワークで接続し、タービン制御装置は、タービン監視装置の運転状態を監視してタービン監視装置の故障を判断したときデータ記録開始指令を出力する一方、復旧の判断をしたときデータ記録停止指令を出力する監視装置運転状態判断機能と、タービンの寿命の指標とするためのタービン寿命消費量計算に必要なデータをネットワークを介して入力する寿命消費量計算信号入力機能と、データ記録開始指令によって、寿命消費量計算信号入力機能から必要なデータを入力してデータ記録する一方、データ記録停止指令によってデータ記録を停止するデータ記録機能と、データ記録機能により得られるタービン監視装置故障中の寿命消費量計算用信号データをタービン監視装置へ送信する寿命消費量計算データ送信機能とを設ける一方、タービン監視装置は、通常時にタービン寿命消費量を計算し、故障時に故障時点タービン寿命量を記憶保持する一方、復旧時に故障期間中のタービン寿命消費量を加えてタービン寿命消費量とする寿命消費量計算機能と、タービン制御装置の寿命消費量計算データ送信機能からネットワークを介して送信されたタービン監視装置故障中の故障中タービン寿命消費量計算用データを受信して故障中のタービン寿命消費量を計算して寿命消費量計算機能へ送る故障期間寿命消費量計算機能とを設けるようにしたものである。この手段によれば、タービン監視装置が故障したと判断されると、データ記録開始指令によって、ネットワークを介して入力されるデータによって寿命消費量計算用信号データが記録され、タービン監視装置が復旧したと判断されると、データ記録停止指令によって、寿命消費量計算用信号のデータ記録が停止されて、故障中の寿命消費量計算用信号データがタービン監視装置へ送信される。そして、故障中の寿命消費量計算用信号データにより故障中の寿命消費量が計算され、故障前の寿命消費量に故障中の寿命消費量が加えられる。これによって、タービン監視装置の故障中の寿命消費量も加味され、精度の高いタービン寿命消費量が得られる。
【００１５】
請求項６の発明は、タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、タービン制御装置等を監視するタービン監視装置とを備えるタービン監視制御装置において、複数のタービン監視装置とタービン制御装置とをネットワーク上で接続して構成し、各タービン監視装置は、ネットワークを介してロータ温度信号を取込み熱応力計算値を演算して得られた各熱応力計算値をタービン制御装置へネットワークを介して送信する熱応力演算機能と、タービン制御装置からネットワークを介して送信された熱応力選択値に基づいて寿命消費量を計算する寿命消費量計算機能とを設ける一方、タービン制御装置は、各熱応力計算値を入力して所定の条件でいずれか一つの値を熱応力選択値として選択してネットワークを介して各タービン監視装置へ送信する熱応力選択機能を設けるようにしたものである。この手段によれば、各タービン監視装置によってロータ温度信号に基づいて熱応力計算値が演算され、各熱応力計算値がタービン制御装置へ送信される。そして、複数の熱応力計算値のいずれかが所定の条件で選択され、選択された熱応力計算値が各タービン監視装置へ送信され、各タービン監視装置によって寿命消費量が演算される。これによって、一つの熱応力値が複数のタービン監視装置で演算されるので、得られるタービン寿命消費量の計算誤差を最小限に抑えて精度が高い寿命消費量が得られる。
【００１６】
請求項７の発明は、タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、タービン制御装置等を監視するタービン監視装置とを備えるタービン監視制御装置において、タービン監視装置は、画面表示部品や機能単位に定義されたウィンドウモジュールデータを保持するモジュールデータベース機能と、ウィンドウモジュール表示画面及び画面上の表示位置データを保持する表示位置データベース機能と、モジュールデータベース機能のウィンドウモジュールデータと表示位置データベース機能の表示する画面表示機能と、入力装置から表示画面の選択と画面上のモジュール表示位置を変更することにより表示位置データを変更する表示位置変更機能と、モジュールデータベース機能にウィンドウモジュールデータを追加するモジュール追加機能とを設けるようにしたものである。この手段によれば、表示部品や機能等を予め定義したウィンドウモジュールデータがウィンドウデータベースへ保存され、画面表示位置データが画面表示位置データベースへ保存されている。そして、これらのウィンドウモジュールデータと画面表示位置データとの任意の組合せによって、ウィンドウモジュールデータと画面表示位置データとをユーザの選択あるいは指定であれば任意の画面構成して表示することができる。従って、画面構成の変更が生じたとき新たなソフトを作成する時間と労力が削除できる。
【００１７】
請求項８の発明は、タービン速度制御、バルブ位置制御、負荷制御等のタービン１次制御機能を有して、主にタービン１次制御を実施するマスタコントローラと、シーケンス制御、外部インターフェース処理等のタービン２次制御を主に実施するシステムコントローラとからなるタービン制御装置と、タービン制御操作、タービン、タービン制御装置等を監視するタービン監視装置とを備えるタービン監視制御装置において、タービン制御装置は、タービン監視装置の監視ソフトウェアを保持する監視装置ソフトウェア保持機能を設ける一方、タービン監視装置は、ソフトウェアダウンロード指令をネットワークを介してタービン制御装置へ送信し、タービン制御装置から監視ソフトウェアを入力し、データ送信完了信号によって、監視ソフトウェアを起動する起動機能を設けるようにしたものである。この手段によれば、タービン制御装置に監視ソフトウェアを保存し、起動時にタービン監視装置へ監視ソフトウェアがダウンロードされる。この場合、タービン監視装置は、タービン制御装置と比べ寿命が短く、定期的に交換する頻度がタービン制御装置より多く、タービン監視装置自体に固有ソフトを持っていると、交換する新しいタービン監視装置への監視ソフトウェアの移植作業に過大な時間とコストを要する点が解消できる。また、信頼性の高いタービン制御装置に監視ソフトウェアを保存できる。
【００１８】
【発明の実施の形態】
以下、本発明の実施の形態について図面を参照して説明する。
【００１９】
図１は、本発明の第１実施の形態のタービン監視制御装置のブロック構成図であって、従来技術を示す図１３及び図１４と同一符号は、同一部分または相当部分を示している。
【００２０】
図１において、タービン制御装置３は、２台のマスタコントローラ１ａ，１ｂと１台のシステムコントローラ２とを有して、制御ＬＡＮ５に接続している。また、タービン監視装置４は制御ＬＡＮ５に接続して直接マスタコントローラ１ａ，１ｂと情報のやりとりを可能としている。
【００２１】
マスタコントローラ１ａ，１ｂは、主にタービン速度制御、バルブ位置制御、負荷制御等のタービン１次制御機能を設けている。システムコントローラ２は、シーケンス制御、外部インターフェース処理等のタービン２次制御機能を設けている。タービン監視装置４は、タービン制御装置３のタービン１次制御機能を含むタービン制御装置３の監視を行っている。
【００２２】
この構成で、２台のマスタコントローラ１ａ，１ｂとシステムコントローラ２とタービン監視装置４とが制御ＬＡＮ５上で接続され、これらの間で送受信がされる。これによって、タービン１次制御機能を有するマスタコントローラ１ａ，マスタコントローラ１ｂのそれぞれがタービン監視装置４と制御ＬＡＮ５を介してタービン監視装置４のタービン１次制御機能と直接情報のやりとりができる。すなわち、従来の図１３及び図１４のようにシステムコントローラ２ａ，２ｂを介してマスタコントローラ１ａ，１ｂがタービン監視装置４のタービン１次制御機能と間接に情報のやりとりがされることがない。
【００２３】
従って、図１のシステムコントローラ２が故障してもタービン１次制御機能が喪失することなく、マスタコントローラ１ａ，１ｂでタービン１次制御機能を実行することができる。
【００２４】
このように第１実施の形態によれば、タービン１次制御機能を有するマスタコントローラとタービン監視装置とがネットワーク上で直接情報のやりとりができるので、仮にシステムコントローラが故障してもマスタコントローラの機能が喪失することなくマスタコントローラのタービン１次制御機能とタービン監視装置との情報をやりとりして監視操作ができ、信頼性を向上させることができる。
【００２５】
図２は、第１実施の形態を示す他の実施の形態のタービン監視制御装置のブロック構成図である。
【００２６】
図示するタービン監視制御装置は、マスタコントローラ１ａ、１ｂ、システムコントローラ２、ＰＩＯモジュール６から構成されるタービン制御装置３とタービン監視装置４とこれらを制御ＬＡＮ５で接続して構成している。マスタコントローラ１ａ、１ｂ、システムコントローラ２、ＰＩＯモジュール６およびタービン監視装置４は制御ＬＡＮ５に接続した構成で、マスタコントローラ１ａ，１ｂとタービン監視装置４間で直接情報のやり取りを可能とすると共に、マスタコントローラ１ａ，１ｂ内にシステムコントローラ２入出力処理代替機能を、システムコントローラ２内にマスタコントローラ入出力処理代替機能とを設ける。
【００２７】
この実施の形態によれば、システムコントローラが故障においても、主要なタービン１次制御機能を行うマスターコントローラに対するタービン監視装置の機能を継続することができ、各コントローラ異常時においても外部入出力の機能の喪失を防ぐことができ、信頼性を向上させることができる。
【００２８】
図３は、本発明の第２実施の形態のタービン監視制御装置のブロック構成図であって、従来技術を示す図１３及び図１４と同一符号は、同一部分または相当部分を示している。
【００２９】
図３において、タービン制御装置３は、２台のマスタコントローラ１ａ，１ｂと１台のシステムコントローラ２ａとを有して、制御ＬＡＮ５に接続している。また、タービン監視装置４は制御ＬＡＮ５に接続して直接マスタコントローラ１ａ，１ｂと情報のやりとりを可能としている。
【００３０】
マスタコントローラ１ａ，１ｂは、主にタービン速度制御、バルブ位置制御、負荷制御等のタービン１次制御機能を設けている。システムコントローラ２ａ，２ｂは、シーケンス制御、外部インターフェース処理等のタービン２次制御機能を設けている。タービン監視装置４は、タービン制御装置３のタービン１次制御機能を含むタービン制御装置３の監視を行っている。
【００３１】
図４は、図３に示すシステムコントローラの機能ブロック構成図である。
【００３２】
システムコントローラ２は、本来の機能であるシステムコントローラ演算機能１１とマスタコントローラの機能を代替するマスタコントローラ演算代替機能１２と・マスタコントローラ故障信号により上記システムコントローラ演算機能とマスタコントローラ演算機能とを切り替える演算機能切替機能１３とから構成される。
【００３３】
上記構成によれば、通常時には２台のシステムコントローラ２ａ，２ｂがシステムコントローラ演算機能１１を実行し、システムコントローラ２ａ，２ｂの２重化運転が実施される。この場合に１台のシステムコントローラが故障した場合には、他のシステムコントローラにより１重化運転を実施する。また、１台のマスターコントローラが故障した場合には、システムコントローラ２の内の一台において、マスタコントローラ故障信号が演算機能切替機能１３へ入力される。これによって演算機能切替機能１３によりシステムコントローラ内の演算がシステムコントローラ演算機能１１からマスタコントローラ演算代替機能１２へ切り替わる。これによって、システムコントローラ２がマスタコントローラ演算代替機能を実行して、タービン１次制御の２重化運転を継続する。さらに、２台のマスターコントローラ１ａ，１ｂが故障した場合においても、上記マスタコントローラ代替機能１２により、マスタコントローラ１重化、システムコントローラ１重化の運転が可能となる。
【００３４】
図５は、本発明の第２実施の形態のタービン監視制御装置の他の実施の形態を示すブロック構成図である。
【００３５】
タービン監視制御装置は、マスタコントローラ１ａ、１ｂ、システムコントローラ２ａ、２ｂ、ＰＩＯモジュール６から構成されるタービン制御装置３とタービン監視装置４および制御ＬＡＮ５から構成され、マスタコントローラ１ａ、１ｂ、システムコントローラ２ａ、２ｂ、ＰＩＯモジュール６およびタービン監視装置４が制御ＬＡＮに接続された構成となっている。
【００３６】
このように第２実施の形態によれば、１台のシステムコントローラが故障した場合においても、システムコントローラの機能の喪失を防ぐことができる。また、マスタコントローラ１台が故障した場合でも、システムコントローラがマスタコントローラとして動作することにより、タービン１次制御の２重化運転を継続することができる。また、マスターコントローラが２台故障した場合においても、タービン１次制御機能の喪失を防ぐことができ、全機能の部分的な故障にも対応して機能の喪失を補うことができる。
【００３７】
図６は、本発明の第３実施の形態を示すタービン監視制御装置のブロック構成図であって、従来技術を示す図１３及び図１４と同一符号は、同一部分または相当部分を示している。
【００３８】
図６において、タービン制御装置３は、２台のマスタコントローラ１ａ，１ｂと１台のシステムコントローラ２とを有して、制御ＬＡＮ５に接続している。また、２台のタービン監視装置４ａ，４ｂは制御ＬＡＮ５に接続して直接マスタコントローラ１ａ，１ｂと情報のやりとりを可能としている。
【００３９】
マスタコントローラ１ａ，１ｂは、主にタービン速度制御、バルブ位置制御、負荷制御等のタービン１次制御機能を設けている。システムコントローラ２は、シーケンス制御、外部インターフェース処理等のタービン２次制御機能を設けている。タービン監視装置４は、タービン制御装置３のタービン１次制御機能を含むタービン制御装置３の監視を行っている。
【００４０】
図７は、図６に示すタービン監視制御装置の機能ブロック構成図である。
【００４１】
図７に示すように、各タービン監視装置４ａ，４ｂは通常時監視機能１５と、他監視装置代替機能１６と、他監視装置運転状態判定機能１７とから構成されている。
【００４２】
ここで、通常時監視機能１５は、タービン監視をするために必要な全監視機能を各タービン監視装置に割り当てた分担機能を実行するものである。他監視装置代替機能１６は、代替停止命令によって実行を停止するものである。他監視装置運転状態判断機能１７は、他のタービン監視装置の状態を表す他監視装置状態信号を取込み運転状態を判断して前記代替起動指令または前記代替停止指令を出力する
【００４３】
上記構成により、通常運転時には各監視装置４ａ、４ｂにおいて、通常時監視機能１６が実行される。監視装置４ａが故障した場合には、監視装置４ｂ内の他監視装置運転状態判定機能１７が制御ＬＡＮ５を介して受信している他監視装置状態信号１８から他監視装置の故障を判断し他監視装置代替機能１６へ代替起動指令１９を送信する。他監視装置代替機能１６は、上記代替起動指令１９により実行され監視装置４ａの機能を代替する。
【００４４】
そして、故障していた監視装置４ａが復旧した場合には、監視装置４ｂ内の他監視装置運転状態判定機能１７が制御ＬＡＮ５を介して受信している他監視装置状態信号１８から他監視装置代替機能１６に代替停止指令２０を送信する。他監視装置代替機能１６は上記代替停止指令２０により監視装置４ａ機能の代替を停止し通常運転状態に戻る。
【００４５】
このような第３実施の形態によれば、通常時には各監視装置４ａ、４ｂの各通常時監視機能１５によって機能分担することができ各タービン監視装置の負荷を軽減できるとともに、あるタービン監視装置が故障した場合においても他のタービン監視装置内の他監視装置代替機能１６により分担機能を代替することができ、機能の喪失を補ってタービン監視機能の喪失を防ぐことができ、信頼性を向上させることができる。
【００４６】
なお、第３実施の形態ではタービン監視装置を２台として説明しているが、３台以上の複数台の場合も実施することができる。
【００４７】
図８は、本発明の第４実施の形態のタービン監視制御装置のブロック構成図であって、従来技術を示す図１３及び図１４と同一符号は、同一部分または相当部分を示している。
【００４８】
図８において、タービン制御装置３とタービン監視装置４とは、制御ＬＡＮ５によつて接続され、タービン制御装置３は、寿命消費量計算信号入力機能３１と寿命消費量計算代替機能３２と監視装置運転状態判断機能３３と寿命消費量送信機能３４とを設けている。また、タービン監視装置４は、寿命消費量補正機能３５と寿命消費量計算機能３６とを設けている。
【００４９】
ここで、寿命消費量計算信号入力機能３１は、タービンの寿命の指標とするためのタービン寿命消費量計算に必要なデータを前記ネットワークを介して入力するものである。寿命消費量計算代替機能３２は、代替計算開始指令によって、前記寿命消費量計算信号入力機能から必要なデータを入力して前記タービン監視装置と同等なタービン寿命消費量計算を行う一方、前記代替計算停止指令によってタービン寿命消費量計算を停止するものである。監視装置運転状態判断機能３３は、前記タービン監視装置の運転状態を監視して前記タービン監視装置の故障を判断したとき代替計算開始指令を出力する一方、復旧の判断をしたとき代替計算停止指令を出力するものである。寿命消費量送信機能３４は、寿命消費量計算代替機能により得られるタービン監視装置故障中のタービン寿命消費量を前記タービン監視装置へ送信するものである。寿命消費量補正機能３５は、寿命消費量送信機能からネットワークを介して送信されたタービン監視装置故障中の故障中タービン寿命消費量を受信するものである。寿命消費量計算機能３６は、故障時に故障時点タービン寿命量を記憶保持する一方、復旧時に故障期間中のタービン寿命消費量を加えてタービン寿命消費量とするものである。
【００５０】
以上の構成によれば、通常時にはタービン制御装置４の寿命消費量計算機能３６により寿命消費量が計算されハードディスク等に値を保持する。タービン監視装置４が故障した場合には、監視装置運転状態判断機能３３がタービン監視装置の故障を判断し、寿命消費量計算代替機能３２に代替計算開始指令４２を送信する。
【００５１】
寿命消費量計算代替機能３２は上記代替計算開始指令４２を受け取り、寿命消費量計算信号入力機能３１が制御ＬＡＮ５を介して入力した寿命消費量計算用信号４１を入力し、寿命消費量演算をタービン監視装置が復旧するまで実行する。タービン監視装置４が復旧した場合は、監視装置運転状態判断機能３３がタービン監視装置４の復旧を判断し、寿命消費量計算代替機能３２に代替計算停止指令４３を送信する。寿命消費量計算代替機能３２は上記代替計算停止指令４３を受け取り、寿命消費量計算を完了するとともにタービン監視装置故障中の計算結果４４を寿命消費量送信機能３４に送信する。寿命消費量送信機能３４は、寿命消費量計算代替機能３２の出力であるタービン監視装置故障中の寿命消費量４４を制御ＬＡＮ５を介して、タービン監視装置４の寿命消費量補正機能３５に送信する。
【００５２】
寿命消費量補正機能３５は、受信したタービン監視装置故障中の寿命消費量４４をタービン監視装置内で保持している故障前の寿命消費量に加算することにより復旧時点の寿命消費量４５を算出し、タービン寿命消費量計算機能８６に送信する。タービン寿命消費量計算機能３６は上記復旧時点の寿命消費量４５を受信し、上記復旧時点の寿命消費量４５をベースとして寿命消費量計算を再開する。
【００５３】
このように第４実施の形態によれば、タービン監視装置４の故障中の寿命消費量計算をタービン制御装置１で代替し、タービン制御装置１で計算された故障中の寿命消費量に基づきタービン監視装置内の寿命消費量を補正することができるので、タービン監視装置４が故障中の寿命消費量の欠損がなく、より精度の良いタービン寿命消費量を算出し利用価値を高める。
【００５４】
図９は、本発明の第５実施の形態のタービン監視制御装置のブロック構成図であって、従来技術を示す図１３及び図１４と同一符号は、同一部分または相当部分を示している。
【００５５】
図９において、タービン制御装置３とタービン監視装置４とは、制御ＬＡＮ５によって接続し、タービン制御装置３は、寿命消費量計算信号入力機能３１とデータ記録機能３７と監視装置運転状態判断機能３３と寿命消費量計算データ送信機能３８とを設けている。また、タービン監視装置４は、故障期間寿命消費量計算機能３９と寿命消費量計算機能３６とを設けている。
【００５６】
ここで、寿命消費量計算信号入力機能３１は、タービンの寿命の指標とするためのタービン寿命消費量計算に必要なデータを前記ネットワークを介して入力するものである。データ記録機能３７は、データ記録開始指令によって、前記寿命消費量計算信号入力機能から必要なデータを入力してデータ記録する一方、前記データ記録停止指令によって停止するものである。監視装置運転状態判断機能３３は、タービン監視装置の運転状態を監視して前記タービン監視装置の故障を判断したときデータ記録開始指令を出力する一方、復旧の判断をしたときデータ記録停止指令を出力するものである。寿命消費量計算データ送信機能３８は、データ記録機能により得られるタービン監視装置故障中の寿命消費量計算用信号データをタービン監視装置へ送信するものである。故障期間寿命消費量計算機能３９は、前記タービン制御装置の前記寿命消費量計算データ送信機能から前記ネットワークを介して送信されたタービン監視装置故障中の故障中タービン寿命消費量計算用データを受信して前記故障中のタービン寿命消費量を計算して前記寿命消費量計算機能へ送るものである。寿命消費量計算機能３６は、故障時に故障時点タービン寿命量を記憶保持する一方、復旧時に故障期間中のタービン寿命消費量を加えてタービン寿命消費量とするものである。
【００５７】
以上の構成によれば、通常時にはタービン監視装置４において寿命消費量計算用信号４１から寿命消費量計算機能３６により寿命消費量を計算しハードディスク等に値を保持する。タービン監視装置の故障時には、タービン制御装置３において、監視装置運転状態判断機能３３がタービン監視装置の故障を判断し、データ記録機能３７にデータ記録開始指令４６を送信する。データ記録機能３７は上記データ記録開始指令４６を受け取り、寿命消費量計算信号入力機能３１が制御ＬＡＮ５を介して入力した寿命消費量計算用信号４１を入力し、上記信号４１を記録する。
【００５８】
タービン監視装置４が復旧した場合は、監視装置運転状態判断機能３３がタービン監視装置復旧を判断し、データ記録機能３７にデータ記録停止指令４７を送信する。データ記録機能３７は、上記データ記録停止指令４７を受け取り、データ記録を完了するとともにタービン監視装置故障中の寿命消費量計算用信号データ４８を寿命消費量計算データ送信機能３８に送信する。寿命消費量計算用データ送信機能３８は監視装置故障中の寿命消費量計算用データ４８を制御ＬＡＮ５を介して、タービン監視装置４の故障期間寿命消費量計算機能３９に送信する。
【００５９】
故障期間寿命消費量計算機能３９は、受信したタービン監視装置の故障中の寿命消費量計算用データ４８を入力し、タービン監視装置の故障期間中の寿命消費量を計算し、上記故障期間中の寿命消費量とタービン監視装置内で保持している故障前の寿命消費量に加算する。得られた復旧時点の寿命消費量４５は、タービン寿命消費量計算機能３６へ送信される。タービン寿命消費量計算機能３６は、上記復旧時点の寿命消費量４５を受信し、上記復旧時点の寿命消費量４５をベースとして寿命消費量計算を再開する。
【００６０】
このように第５実施の形態により、タービン監視装置４が故障した場合においても、タービン制御装置１で記憶したデータを利用して故障中の寿命消費量を計算することができるので、故障中の寿命消費量の欠落がなく精度の良いタービン寿命消費量が得られ、利用価値を高めることができる。
【００６１】
図１０は本発明の第６実施の形態を示すタービン監視制御装置のブロック構成図である。
【００６２】
従来技術を示す図１３及び図１４と同一符号は、同一部分または相当部分を示している。
【００６３】
図１０において、タービン制御装置３と２台のタービン監視装置４ａ，４ｂしは制御ＬＡＮ５に接続され、タービン制御装置３は、熱応力選択機能５１を有し、各タービン監視装置４ａ，４ｂは、熱応力計算機能５２ａ，５２ｂと寿命消費量計算機能３６ａ，３６ｂを有している。
【００６４】
ここで、熱応力選択機能５１は、前記各熱応力計算値を入力して所定の条件でいずれか一つの値を前記熱応力選択値として選択して前記ネットワークを介して前記各タービン監視装置へ送信するものである。熱応力計算機能５２ａ，５２ｂは、前記ネットワークを介してロータ温度信号を取込み熱応力計算値を演算して得られた各熱応力計算値を前記タービン制御装置へ前記ネットワークを介して送信するものである。寿命消費量計算機能３６ａ，３６ｂは、前記タービン制御装置からネットワークを介して送信された熱応力選択値に基づいて寿命消費量を計算するものである。
【００６５】
まず、タービン監視装置４ａによって制御ＬＡＮ５を介して入力したロータ温度信号５３が入力され、ロータ温度信号５３に基づき、熱応力演算機能５２ａにより熱応力が計算され、制御ＬＡＮ５を介して熱応力計算値５４ａがタービン制御装置３へ送信される。
【００６６】
同様に、タービン監視装置４ｂによって制御ＬＡＮ５を介して入力したロータ温度信号５３が入力され、熱応力演算機能５２ｂにより熱応力が計算され、制御ＬＡＮ５を介して熱応力計算値５４ｂがタービン制御装置１へ送信される。
【００６７】
タービン制御装置１では、タービン監視装置４ａおよび４ｂから送信された熱応力計算値５４ａ、５５ｂを入力し、熱応力選択機能５１により熱応力値を選択し、例えば、予め定めた、高値、あるいは、低値を選択し、タービン監視装置４ａおよび４ｂに熱応力選択値５５を送信する。
【００６８】
次に、タービン監視装置４ａでは、送信された熱応力選択値５５を入力し、寿命消費量計算機能３６ａにより寿命消費量を計算する。同様にして、タービン監視装置４ｂでも送信された熱応力選択値５５を入力し、寿命消費量計算機能３６ｂにより寿命消費量を計算する。
【００６９】
このように本発明の第６実施の形態によれば、寿命消費量演算に用いる熱応力信号を複数台のタービン監視装置で同一とすることができるので、各タービン監視装置間の計算誤差を押さえることができる。
【００７０】
図１１は本発明の第７実施の形態を示すタービン監視制御装置のブロック構成図である。
【００７１】
タービン監視装置４は、画面表示用の各制御機能単位のウィンドウモジュールデータを保持するモジュールデータベース機能６２と、上記ウィンドウモジュールの表示画面および画面上の表示位置データを保持する表示位置データベース機能６３と、上記モジュールデータベース機能６２のウィンドウモジュールデータ６６と上記表示位置データベース機能６３の表示位置データ６７により監視画面を表示する画面表示機能６１と、ポインタデバイス（マウス、トラックボール、タッチスクリーン等）により表示画面の選択と画面上のモジュール表示位置を変更することにより表示位置データ６６を変更する表示位置変更機能６４と、ウィンドウモジュールデータ６６をモジュールデータベース機能に追加するモジュール追加機能６５から構成される。
【００７２】
この構成によって、タービン監視装置４では、画面表示機能６１がモジュールデータベース機能６２に保存されているウィンドウモジュールデータ６５と画面位置データベース機能６３の画面位置データ６７とから画面表示を実行する。
【００７３】
画面表示位置データ６７は、画面表示位置変更機能６４を利用して、マウス等のポインティングデバイスにより表示画面の選択および画面上のモジュール表示位置を指定することにより変更される。機能追加は、モジュールデータ追加機能６６により、モジュールデータベース機能６２に追加ウィンドウモジュールデータ６８を追加することにより実施される。
【００７４】
このように第７実施の形態により、表示画面の選択と画面上への配置をユーザに任せることが可能となるとともに、機能追加はウィンドウモジュールを追加するだけで可能となり、客先コメントおよびモジュール機能追加のたびに画面ソフトの設計をやり直す必要をなくすことができる。
【００７５】
図１２は本発明の第８実施の形態のタービン監視制御装置のブロック構成図である。
【００７６】
タービン監視制御装置は、監視装置ソフトウェアを保持する監視装置ソフトウェア保持機能８１を有するタービン制御装置３と、監視装置起動時に制御ＬＡＮ５を経由してタービン制御装置３より監視装置プログラムをダウンロードして立ち上がる起動機能８２を有するタービン監視装置４とから構成される。
【００７７】
この構成では、タービン監視装置４の起動時に、タービン監視装置４内の起動機能８２によりソフトウェアダウンロード指令８３をタービン制御装置３に送信する。タービン制御装置８内の監視装置ソフトウェア保持機能８１は上記ソフトウェアダウンロード指令８３により監視装置ソフトウェア８４をタービン監視装置４に送信する。監視ソフトウェアの送信が完了すると、タービン制御装置３内の監視装置ソフトウェア保持機能８１は、タービン監視装置４にデータ送信完了信号８５をタービン監視装置４に送信する。タービン監視装置４内の起動機能は上記データ送信完了信号８５を受け取り、画面監視ソフトウェア８４を起動する。
【００７８】
このように第８実施の形態によれば、タービン制御装置に監視ソフトウェアを保存し、起動時にタービン監視装置へ監視ソフトウェアがダウンロードされる。この場合、タービン監視装置は、タービン制御装置と比べ寿命が短く、定期的に交換する頻度がタービン制御装置より多く、タービン監視装置自体に固有ソフトを持っていると、交換する新しいタービン監視装置への監視ソフトウェアの移植作業に過大な時間とコストを要する点が解消できる。また、信頼性の高いタービン制御装置に監視ソフトウェアを保存できる。
【００７９】
【発明の効果】
以上説明したように請求項１の発明によれば、タービン１次制御機能を有するマスタコントローラとタービン監視装置とがネットワーク上で直接情報のやりとりができるので、仮にシステムコントローラが故障してもマスタコントローラの機能である１次制御機能が喪失することなく、マスタコントローラのタービン１次制御機能とタービン監視装置との情報をやりとりして、監視操作ができ、信頼性を向上させることができる。
【００８０】
請求項２の発明によれば、複数台の内で１台のシステムコントローラが故障しても残りの健全なシステムコントローラでシステムコントローラの機能を補うので、機能喪失を防止でき、マスタコントローラが故障してもマスタコントローラ故障信号によって、タービン１次制御機能を有するマスタコントローラの演算代替機能が動作しタービン１次制御機能の喪失が防止でき、信頼性の向上を図ることができる。
【００８１】
請求項３の発明によれば、通常時には、全タービン監視機能を各タービン監視装置に割当てて機能分担し、全体の監視負荷の軽減を図り、あるタービン監視装置が故障したとき他の健全なタービン監視装置の他監視装置代替機能へ分担された機能を代替することができ、タービン監視機能の喪失を防止できる。
【００８２】
請求項４の発明によれば、タービン監視装置が故障したと判断されると、タービン制御装置がタービン寿命消費量を計算し、故障中の寿命消費量をタービン監視装置へ送信するので、タービン監視装置の故障中の寿命消費量も加味され、精度の高いタービン寿命消費量を得ることができる。
【００８３】
請求項５の発明によれば、タービン監視装置が故障したと判断されると、タービン制御装置が寿命消費量計算用信号データを記録して、故障中の寿命消費量計算用信号データがタービン監視装置へ送信するので、故障前の寿命消費量に故障中の寿命消費量が加えて、精度の高いタービン寿命消費量を得ることができる。
【００８４】
請求項６の発明によれば、一つの熱応力値が複数のタービン監視装置で演算されるので、得られるタービン寿命消費量の計算誤差を最小限に抑えて精度が高い寿命消費量が得られる。
【００８５】
請求項７の発明によれば、ウィンドウモジュールデータと画面表示位置データとの任意の組合せによって、ウィンドウモジュールデータと画面表示位置データとをユーザの選択あるいは指定があれば任意の画面構成して表示することができるので、画面構成の変更が生じたとき新たなソフトを作成する時間と労力が削除できる。
【００８６】
請求項８の発明によれば、タービン制御装置に監視ソフトウェアを保存し、起動時にタービン監視装置へ監視ソフトウェアをダウンロードするので、タービン監視装置自体に固有監視ソフトを持っている場合と比較して、交換する新しいタービン監視装置への監視ソフトウェアの移植作業に過大な時間とコストを要する点が解消でき、また、信頼性の高いタービン制御装置に監視ソフトウェアを保存できる。
【図面の簡単な説明】
【図１】本発明の第１実施の形態を示すタービン監視制御装置のブロック構成図である。
【図２】第１実施の形態における他の実施の形態を示すタービン監視制御装置のブロック構成図である。
【図３】本発明の第２実施の形態を示すタービン監視制御装置のブロック構成図である。
【図４】図３のシステムコントローラを示す構成図である。
【図５】第２実施の形態における他の実施の形態を示すタービン監視制御装置のブロック構成図である。
【図６】本発明の第３実施の形態を示すタービン監視制御装置のブロック構成図である。
【図７】図６のタービン監視装置を示す構成図である。
【図８】本発明の第４実施の形態を示すタービン監視制御装置のブロック構成図である。
【図９】本発明の第５実施の形態を示すタービン監視制御装置のブロック構成図である。
【図１０】本発明の第６実施の形態を示すタービン監視制御装置のブロック構成図である。
【図１１】本発明の第７実施の形態を示すタービン監視制御装置のブロック構成図である。
【図１２】本発明の第８実施の形態を示すタービン監視制御装置のブロック構成図である。
【図１３】第１の従来例を示すタービン監視制御装置のブロック構成図である。
【図１４】第２の従来例を示すタービン監視制御装置のブロック構成図である。
【符号の説明】
１ａ，１ｂ  マスタコントローラ
２，２ａ，２ｂ  システムコントローラ
３  タービン制御装置
４，４ａ，４ｂ  タービン監視装置
５  制御ＬＡＮ
６  ＰＩＯモジュール
１１  システムコントローラ演算機能
１２  マスタコントローラ演算代替機能
１３  演算機能切替機能
１４  マスタコントローラ故障信号
１５  通常時監視機能
１６  他監視装置代替機能
１７  他監視装置運転状態判断機能
１８  通常時監視機能
１９  代替起動指令
２０  代替停止指令
３１  寿命消費量計算信号入力機能
３２  寿命消費量計算代替機能
３３  監視装置運転状態判断機能
３４  寿命消費量送信機能
３５  寿命消費量補正機能
３６，３６ａ，３６ｂ  寿命消費量計算機能
３７  データ記録機能
３８  寿命消費量計算データ送信機能
３９  故障期間寿命消費量計算機能
４１  寿命消費量計算用信号
５１  熱応力選択機能
５２ａ，５２ｂ  熱応力計算機能
６１  画面表示機能
６２  モジュールデータベース機能
６３  表示位置データベース機能
６４  表示位置変更機能
６５  モジュール追加機能
８１  監視装置ソフトウェア保持機能
８２  起動機能
【図１】
0003763659.tif 000002
【図２】
0003763659.tif 000003
【図３】
0003763659.tif 000004
【図４】
0003763659.tif 000005
【図５】
0003763659.tif 000006
【図６】
0003763659.tif 000007
【図７】
0003763659.tif 000008
【図８】
0003763659.tif 000009
【図９】
0003763659.tif 000010
【図１０】
0003763659.tif 000011
【図１１】
0003763659.tif 000012
【図１２】
0003763659.tif 000013
【図１３】
0003763659.tif 000014
【図１４】
0003763659.tif 000015